(57)【要約】【課題】無線通信装置の取付け位置に応じて無線信号の送信方向を容易に調節する。【解決手段】構造物に取付けられるビーコン装置１は、電池４を保持するための電池ホルダ６と、電池ホルダ６に取付けられ、電池４から供給される電源により無線通信を行う無線通信モジュール３と、電池ホルダ６及び無線通信モジュール３を収納するケース２と、を備える。電池ホルダ６は、電池４を保持した状態の外形が略柱体形状をなす。無線通信モジュール３は、略柱体形状の側面に配置される。ケース２は、略柱体形状の中心軸Ｃ１回りの複数の回転角度から選択された回転角度で電池ホルダ６を支持する支持部９と、ケース２を構造物に固定する固定部１２と、を有する。【選択図】図１
2016012836.tif 000002
【特許請求の範囲】
【請求項１】
電池を保持するための電池ホルダと、
前記電池ホルダに取付けられ、前記電池から供給される電源により無線通信を行う無線通信モジュールと、
前記電池ホルダ及び前記無線通信モジュールを収納するケースと、を備え、構造物に取付けられる無線通信装置であって、
前記電池ホルダは、前記電池を保持した状態の外形が略柱体形状をなし、
前記無線通信モジュールは、前記略柱体形状の側面に配置され、
前記ケースは、
前記略柱体形状の中心軸回りの複数の回転角度から選択された回転角度で前記電池ホルダを支持する支持部と、
前記ケースを前記構造物に固定する固定部と、を有する
無線通信装置。
【請求項２】
前記ケースは、少なくとも、前記電池ホルダ及び前記無線通信モジュールを収納するケース本体と、前記ケース本体を閉塞する蓋体とからなり、
前記ケース本体には、前記固定部が設けられ、
前記蓋体には、前記支持部が設けられる
請求項１に記載の無線通信装置。
【請求項３】
前記電池ホルダには、前記複数の回転角度で前記支持部に嵌合可能な調節部が設けられる
請求項１又は２に記載の無線通信装置。
【請求項４】
前記調節部及び前記支持部は、正ｎ角形（ｎは３以上の整数）に形成され、
前記複数の回転角度は、（３６０／ｎ）度毎に異なるｎ個の回転角度である
請求項３に記載の無線通信装置。
【請求項５】
前記電池ホルダは、前記電池を保持した状態の外形が略正多角柱形状又は略円柱形状をなす
請求項１〜４のいずれか１項に記載の無線通信装置。
【発明の詳細な説明】
【技術分野】
【０００１】
本発明は、例えば、ビーコン信号を送信する無線通信装置に関する。
【背景技術】
【０００２】
従来、ユーザの現在位置を示したり、ユーザに経路案内を行ったりすることが可能な端末装置がある。この端末装置は、例えば、上空にあるＧＰＳ（Global Positioning System）衛星から送信される電波を受信したり、店舗内、道路脇、線路脇、トンネル壁面等に配置される無線通信装置から送信される無線信号（電波）を受信したりして、現在位置を推定していた。
【０００３】
端末装置が無線通信装置からの無線信号を用いてユーザの現在位置を推定するための技術として、例えば特許文献１に開示されたものが知られている。この特許文献１には、無線通信装置が通信可能エリア内の任意の携帯端末との距離を測定して得た距離情報を情報サーバに送信し、情報サーバが送信された携帯端末にかかわる３以上の距離情報を用いて携帯端末の位置情報を特定する技術が開示されている。
【先行技術文献】
【特許文献】
【０００４】
【特許文献１】特開２００５−５９６２号公報
【発明の概要】
【発明が解決しようとする課題】
【０００５】
現在位置の推定に用いられる無線通信装置を構造物（建物、駅のホーム、トンネルの壁、道路等を含む。）に取付ける場合、無線通信装置が容易に移動しないよう、アンカー等を用いて、壁面、床面、天井面、格子面、柵面等に無線通信装置を固定することが望ましい。しかし、無線通信装置の取付け位置が無線信号を送信するのに不利な場所に限定されることがある。
【０００６】
例えば、コンクリート製の建物において、無線通信装置を壁面だけでなく柱にも取付ける場合、壁面と平行な面に取付けるとユーザが接触しやすいため、壁面と垂直な面に取付けることがある。この場合、壁面に取付けた無線通信装置は、取付け面（壁面）と垂直な方向に無線信号を送信するのに対して、柱の壁面と垂直な面に取付けた無線通信装置は、取付け面と平行な方向に無線信号を送信する必要がある。
【０００７】
また、例えば、盗難やいたずら防止のため、ユーザの手が届かない天井面に無線通信装置を取付けることもある。この場合、室内や通路等の中央付近の天井面に取付けた無線通信装置は、取付け面（天井面）と垂直な方向（下方向）に無線信号を送信するのに対して、壁や柱に近い天井面に取付けた無線通信装置は、取付け面（天井面）から斜め下方向に無線信号を送信する必要がある。
【０００８】
本発明はこのような状況に鑑みて成されたものであり、無線通信装置の取付け位置に応じて無線信号の送信方向を容易に調節することを目的とする。
【課題を解決するための手段】
【０００９】
本発明の無線通信装置は、電池を保持するための電池ホルダと、電池ホルダに取付けられ、電池から供給される電源により無線通信を行う無線通信モジュールと、電池ホルダ及び無線通信モジュールを収納するケースと、を備え、構造物に取付けられる無線通信装置であって、電池ホルダは、電池を保持した状態の外形が略柱体形状をなし、無線通信モジュールは、略柱体形状の側面に配置され、ケースは、略柱体形状の中心軸回りの複数の回転角度から選択された回転角度で電池ホルダを支持する支持部と、ケースを構造物に固定する固定部と、を有する。
【発明の効果】
【００１０】
本発明によれば、電池ホルダを所定の回転角度で回転させた状態でケースを構造物に取付けることが可能であるため、電池ホルダに取付けられた無線通信モジュールが送信する無線信号の送信方向を容易に調節することができる。
【図面の簡単な説明】
【００１１】
【図１】本発明の第１の実施の形態例に係る無線通信モジュールを上向きにしたビーコン装置の構成例を示す図である。図１Ａは、蓋体に電池ホルダを取付ける様子を示す斜視図であり、図１Ｂは、蓋体が取付けられた電池ホルダをケース本体に収納する様子を示す斜視図であり、図１Ｃは、ケース本体に電池ホルダが収納される様子を示す斜視図である。
【図２】本発明の第１の実施の形態例に係る無線通信モジュールを手前向きに変更したビーコン装置の構成例を示す図である。図２Ａは、蓋体に電池ホルダを取付ける様子を示す斜視図であり、図２Ｂは、蓋体が取付けられた電池ホルダをケース本体に収納する様子を示す斜視図であり、図２Ｃは、ケース本体に電池ホルダが収納される様子を示す斜視図である。
【図３】本発明の第１の実施の形態例に係る調節部及び支持部の形状の変形例を示す説明図である。図３Ａ〜図３Ｃは、正多角形に形成される調節部及び支持部の例を示し、図３Ｄ及び図３Ｅは、ギヤ状に形成される調節部及び支持部の例を示す。図３Ｆは、十字状に形成される調節部及び支持部の例を示す。図３Ｇは、ギヤ状に形成される調節部の例を示す。図３Ｈは、星型正八角形に形成される調節部及び支持部の例を示す。
【図４】本発明の第２の実施の形態例に係るビーコン装置の構成例を示す図である。図４Ａは、ビーコン装置の構成例を示す分解斜視図であり、図４Ｂ及び図４Ｃは、図４Ａ中のＡ−Ａ線で切断した垂直断面図である。
【図５】本発明の第３の実施の形態例に係るビーコン装置の構成例を示す図である。図５Ａは、蓋体に電池ホルダを取付ける様子を示す斜視図であり、図５Ｂは、ケース本体に電池ホルダが収納された状態を示す斜視図である。
【図６】本発明の第４の実施の形態例に係るビーコン装置の構成例を示す図である。図６Ａは、ビーコン装置の構成例を示す斜視図であり、図６Ｂは、図６Ａ中のＢ−Ｂ線で切断した垂直断面図である。
【図７】本発明の第５の実施の形態例に係るビーコン装置の構成例を示す図である。図７Ａは、ビーコン装置の構成例を示す斜視図であり、図７Ｂは、図７Ａ中のＣ−Ｃ線で切断した垂直断面図である。
【図８】本発明の第６の実施の形態例に係るビーコン装置の斜視図である。
【発明を実施するための形態】
【００１２】
［第１の実施の形態例］
以下、本発明の第１の実施の形態例に係るビーコン装置１について、図１及び図２を参照して説明する。
本明細書及び図面において、実質的に同一の機能又は構成を有する構成要素については、同一の符号を付することにより重複する説明を省略する。
【００１３】
＜無線通信モジュールを上に向けた状態＞
図１は、無線通信モジュール３を上向きにしたビーコン装置１の構成例を示す。図１Ａは、蓋体７に電池ホルダ６を取付ける様子を示し、図１Ｂは、蓋体７が取付けられた電池ホルダ６をケース本体１０に収納する様子を示し、図１Ｃは、ケース本体１０に電池ホルダ６が収納される様子を示す。
【００１４】
ビーコン装置１（無線通信装置の一例）は、電池ホルダ６及び無線通信モジュール３を収納するケース２を備える。
【００１５】
電池ホルダ６は、一次電池又は二次電池である電池４を保持し、電池４を保持した状態の外形が略柱体形状（好ましくは、略正多角柱形状又は略円柱形状）となるように形成される。例えば、電池ホルダ６は、中空の正多角柱形状又は円柱形状に形成され、電池４を入れるため、一方の底面が開閉可能となっていたり、側面に開口が形成されていたりする。また、例えば、電池ホルダ６は、一部が欠落した柱体形状に形成され、保持した電池４を含めた外形が略柱体形状をなす。この構成例では、電池ホルダ６は、両底面に調節部５を備え、１つの（上側の）側面が開口した中空の正四角柱形状に形成されている。調節部５は、正方形（正四角形）の凸部として形成されている。電池４は、電池ホルダ６の開口から電池ホルダ６の内部に収納される。
【００１６】
無線通信モジュール３は、電池ホルダ６の略柱体形状の側面に取付けられ、電池４から電源が供給される。この無線通信モジュール３は、各種の情報をビーコン信号（無線信号の一例）に載せて周期的にブロードキャスト送信（発信）する。また、無線通信モジュール３から送信されたビーコン信号は、不図示の通信端末（例えば、スマートフォン）によって受信される。無線通信モジュール３と不図示の通信端末との間で用いられる通信規格としては、例えば、Ｂｌｕｅｔｏｏｔｈ（登録商標）やＢＬＥ（Bluetooth（登録商標） Low Energy）等の近距離無線通信規格が適している。
【００１７】
ここで、無線通信モジュール３の不図示のアンテナが無指向性アンテナであったとしても、電池４が電波を遮蔽する障害物となり、電界形成に影響を与える。図１の例では、無線通信モジュール３が電池ホルダ６の上側の側面に取付けられ、電池４に対して上側に位置するため、ビーコン信号は主に上方向に送信される。以下の説明では、無線通信モジュール３が送信するビーコン信号の主たる送信方向を、「無線通信モジュール３の向き」と呼ぶ。
【００１８】
また、ケース２は、電池ホルダ６及び無線通信モジュール３を収納するケース本体１０と、ケース本体１０を閉塞する蓋体７とを備える。
【００１９】
ケース本体１０は、上面が開口した箱状に形成されている。ケース本体１０の底面の内側には複数条のリブ１１が設けられ、底面の外側には固定部１２が設けられている。リブ１１により、ケース本体１０の底面が補強され、ケース本体１０のねじれ等に対する耐久性が高められている。
【００２０】
固定部１２は、ケース本体１０の底面を長手方向（両方向）に延長した部位として形成されている。それぞれの固定部１２には、アンカー孔が形成されている。ビーコン装置１は、このアンカー孔に挿入される不図示のアンカーを用いて構造物に固定される。
【００２１】
蓋体７は、板状に形成された平面部８と、１対の支持部９を有する。平面部８は、ケース本体１０の開口の形状に合わせて形成され、平面部８の下面がケース本体１０の開口を閉塞する。
【００２２】
支持部９は、蓋体７が有する平面部８の長手方向の両端の２箇所から下方向に突出して形成され、この突出部分の中心付近には、電池ホルダ６が備える調節部５の凸部の形状に応じた貫通孔が形成されている。この貫通孔に調節部５の凸部が嵌合挿入されることにより、支持部９は、電池ホルダ６を所定の回転角度で回転させた状態で支持する。より具体的には、支持部９は、電池ホルダ６の略柱体形状の中心軸Ｃ１周りの複数の回転角度から選択された回転角度で電池ホルダ６を支持する。この構成例では、支持部９の貫通孔及び調節部５の凸部は正方形に形成され、支持部９は、中心軸Ｃ１周りに、９０度毎に異なる４つの回転角度（０度、９０度、１８０度、２７０度）のいずれかだけ回転させた状態で電池ホルダ６を支持する。
【００２３】
図１Ａに示すように、作業員が蓋体７の支持部９を外側に押し広げた状態で、電池ホルダ６を矢印方向に移動させ、支持部９から手を離すと、支持部９は内側に狭まり、元に戻る。このとき、支持部９の貫通孔に電池ホルダ６の調節部５の凸部が嵌め込まれる。これにより支持部９は、電池ホルダ６を支持し、電池ホルダ６の揺動を防ぐ。
【００２４】
図１Ｂに示すように、支持部９に支持された電池ホルダ６が、ケース本体１０の開口からケース本体１０内に収納される。ケース本体１０は、電池ホルダ６を収納可能な程度にわずかに大きく形成してある。また、ケース本体１０内に電池ホルダ６が収納された状態では支持部９が外側に広がらないので、蓋体７から電池ホルダ６が脱落することを防止できる。
【００２５】
そして、図１Ｃに示すように、ケース本体１０の開口を蓋体７が閉塞し、電池ホルダ６がケース本体１０内に固定される。このため、ケース本体１０への汚水や埃等の侵入を防ぐと共に、無線通信モジュール３、電池４の汚損を防ぐことができる。
【００２６】
＜無線通信モジュールを手前に向けた状態＞
無線通信モジュール３の向きは、電池ホルダ６の略柱体形状の中心軸Ｃ１の軸周りに９０度ずつ変更することが可能である。ここでは、無線通信モジュール３の向きを変更する場合に、電池ホルダ６がどのように蓋体７に取付けられ、ケース本体１０に収納されるかを説明する。
【００２７】
図２は、無線通信モジュール３を手前向きに変更したビーコン装置１の構成例を示す。図２Ａは、蓋体７に電池ホルダ６を取付ける様子を示し、図２Ｂは、蓋体７が取付けられた電池ホルダ６をケース本体１０に収納する様子を示し、図２Ｃは、ケース本体１０に電池ホルダ６が収納される様子を示す。
【００２８】
ビーコン装置１の取付け位置によっては、ビーコン信号を意図した送信方向で送信できないことがある。例えば、ビーコン装置１を柱の壁面と垂直な面に取付ける場合には、ビーコン装置１を壁面に取付ける場合とは無線通信モジュール３の向きを変更しなければならない。
【００２９】
そこで、図２Ａに示すように、蓋体７に電池ホルダ６を取付ける際に、電池ホルダ６を中心軸Ｃ１の軸周りに９０度回転させ、無線通信モジュール３を手前に向ける。前述したように、支持部９の貫通孔及び調節部５の凸部は正方形に形成されているため、支持部９は、中心軸Ｃ１の軸周りに９０度だけ回転させた状態でも電池ホルダ６を支持することができる。
【００３０】
その後、図２Ｂに示すように、蓋体７に取付けられた電池ホルダ６を、ケース本体１０に押し込む。そして、図２Ｃに示すように、無線通信モジュール３を手前に向けた状態で、電池ホルダ６がケース本体１０内に収納される。
【００３１】
以上説明した第１の実施の形態例に係るビーコン装置１によれば、電池ホルダ６を所定の回転角度で回転させた状態でケース２を構造物に取付けることが可能である。このため、電池ホルダ６に取付けられた無線通信モジュール３の向きを変更することにより、ビーコン信号の送信方向を容易に調節することができる。
【００３２】
また、蓋体７がケース本体１０の開口を閉塞することにより、ビーコン装置１の防塵、防水性能が増し、電池ホルダ６が汚損されにくくなる。また、電池ホルダ６、蓋体７及びケース本体１０を、例えば難燃性のポリカーボネイトにより形成することによりビーコン装置１の安全性を高めることができる。
【００３３】
また、支持部９の貫通孔及び調節部５の凸部の形状を正方形としたことにより、電池ホルダ６を中心軸Ｃ１の軸周りに９０度毎に回転させ、無線通信モジュール３の向きを特定の方向に固定しやすい。また、支持部９が調節部５を強固に支持するため、電池ホルダ６の揺動を抑えると共に、無線通信モジュール３に加わる振動も抑えることができる。
【００３４】
＜調節部５及び支持部９の変形例＞
なお、調節部５及び支持部９には様々な形状が想定される。
図３は、調節部５及び支持部９の形状の変形例を示す。
【００３５】
図３Ａは、正三角形に形成される調節部５及び支持部９の例を示す。この調節部５及び支持部９は、無線通信モジュール３の向きを１２０度毎に変更可能である。
図３Ｂは、正六角形に形成される調節部５及び支持部９の例を示す。この調節部５及び支持部９は、無線通信モジュール３の向きを６０度毎に変更可能である。
図３Ｃは、正八角形に形成される調節部５及び支持部９の例を示す。この調節部５及び支持部９は、無線通信モジュール３の向きを４５度毎に変更可能である。
図３Ａ〜図３Ｃに示すように、調節部５及び支持部９を正ｎ角形（ｎは３以上の整数）に形成することにより、無線通信モジュール３の向きを（３６０／ｎ）度毎に変更することができる。
【００３６】
図３Ｄは、８本の歯を有するギヤ状に形成される調節部５及び支持部９の例を示す。この調節部５及び支持部９は、無線通信モジュール３の向きを４５度毎に変更可能である。
図３Ｅは、４本の歯を有するギヤ状に形成される調節部５及び支持部９の例を示す。この調節部５及び支持部９は、無線通信モジュール３の向きを９０度毎に変更可能である。
【００３７】
図３Ｆは、十字状に形成される調節部５及び支持部９の例を示す。この調節部５及び支持部９は、無線通信モジュール３の向きを９０度毎に変更可能である。なお、調節部５が十字状に形成され、支持部９が図３Ｃのように正八角形に形成された場合でも、支持部９に調節部５を嵌め込むことができる。
図３Ｇは、２本の歯を有するギヤ状に形成される調節部５の例を示す。凸状に形成された調節部５は、図３Ｄ、図３Ｅに示したギヤ状に形成された支持部９に嵌め込むことができる。
図３Ｈは、星型正八角形に形成される調節部５及び支持部９の例を示す。この調節部５及び支持部９は、無線通信モジュール３の向きを４５度毎に変更可能である。なお、調節部５が正方形に形成され、支持部９が星型正八角形に形成された場合でも、支持部９に調節部５を嵌め込むことができる（後述する図４Ａを参照）。
【００３８】
［第２の実施の形態例］
次に、本発明の第２の実施の形態例に係るビーコン装置１Ａについて、図４を参照して説明する。
図４は、ビーコン装置１Ａの構成例を示す。図４Ａは、分解したビーコン装置１Ａの構成例を示し、図４Ｂ及び図４Ｃは、図４Ａ中のＡ−Ａ線で電池ホルダ６Ａを切断した断面を示す。
【００３９】
図４に示すように、ビーコン装置１Ａは、電池ホルダ６Ａ、無線通信モジュール３、ケース２を備える。
電池ホルダ６Ａは、電池４を保持した状態の外形が略正八角柱形状となるように形成されている。電池ホルダ６Ａは、例えば垂直方向に２つに分離可能であり、内部に電池４を収納する。電池ホルダ６Ａの略正八角柱形状の一側面には無線通信モジュール３が取付けられており、図４Ａの例では、無線通信モジュール３が上向きとなっている。
【００４０】
また、電池ホルダ６Ａの両端（略正八角柱形状の両底面）には、正方形の凸部として形成された調節部５が設けられている。蓋体７には、星型正八角形の貫通孔が形成された支持部９Ａが形成されている。支持部９Ａの貫通孔に調節部５を嵌め込むことで、無線通信モジュール３の向きを中心軸Ｃ１の軸周りに４５度ずつ変更することができる。
【００４１】
そして、蓋体７に取付けられた電池ホルダ６Ａがケース本体１０に収納されて、ビーコン装置１Ａが組立てられる。ビーコン装置１Ａの外観は、上述したビーコン装置１の外観と同様である。
【００４２】
図４Ｂに示すように、無線通信モジュール３が上向きであれば、ビーコン信号がビーコン装置１Ａの真上に送信される。図４Ｃに示すように、無線通信モジュール３の向きが真上から４５度だけ傾けられると、ビーコン信号が真上から４５度だけ傾いた方向に送信される。
【００４３】
以上説明した第２の実施の形態例に係るビーコン装置１Ａによれば、支持部９Ａの貫通孔を星型正八角形に形成したことにより、無線通信モジュール３の向きを４５度ずつ変更することができる。また、電池ホルダ６Ａの外形を略正八角柱形状に形成したことにより、電池ホルダ６Ａがケース本体１０内で回転しないため、無線通信モジュール３の向きを固定しやすくなる。
【００４４】
［第３の実施の形態例］
次に、本発明の第３の実施の形態例に係るビーコン装置１Ｂについて、図５を参照して説明する。
図５は、ビーコン装置１Ｂの構成例を示す。図５Ａは、蓋体７に電池ホルダ６Ｂを取付ける様子を示し、図５Ｂは、ケース本体１０に電池ホルダ６が収納された状態を示す。
【００４５】
図５Ａに示すように、ビーコン装置１Ｂは、電池ホルダ６Ｂ、無線通信モジュール３、ケース２を備える。電池ホルダ６Ｂは、電池４を保持した状態の外形が略円柱形状となるように形成されている。
【００４６】
電池ホルダ６Ｂの略円柱形状の側面には、無線通信モジュール３が設置される設置部１４が設けられている。設置部１４は、電池ホルダ６Ｂに収納される電池４を跨ぐように設けられており、無線通信モジュール３の向きを一方向（図５Ａでは、上向き）に定めると共に、電池ホルダ６Ｂの強度を高めている。
【００４７】
電池ホルダ６Ｂの両端（略円柱形状の両底面）には、２つの回転蓋１３が取付けられている。回転蓋１３には、内部に不図示のネジ溝が形成されており、電池ホルダ６Ｂの両端に形成される不図示のネジ溝と合致する。このため、作業員が回転蓋１３を回すことで、電池ホルダ６Ｂの両端から回転蓋１３を着脱可能である。
【００４８】
そして、電池ホルダ６Ｂは、回転蓋１３が取り外された電池ホルダ６Ｂの両端から２つずつ挿入される電池４を収納する。また、電池ホルダ６Ｂの側面の一部は、切削されており、電池ホルダ６Ｂに収納された電池４の表面の一部が切削部分から露出する。
【００４９】
回転蓋１３には、正八角形の凸部として形成された調節部５Ａが設けられている。調節部５Ａの凸部の形状を正八角形とし、支持部９の貫通孔の形状を正方形としたことにより、無線通信モジュール３の向きを中心軸Ｃ１の軸周りに４５度ずつ変更することができる。
【００５０】
その後、図５Ｂに示すように、蓋体７に取付けられた電池ホルダ６Ｂがケース本体１０に収納されて、ビーコン装置１Ｂが組立てられる。ビーコン装置１Ｂの外観は、上述したビーコン装置１の外観と同様である。
【００５１】
以上説明した第３の実施の形態例に係るビーコン装置１Ｂによれば、電池ホルダ６Ｂの外形を略円柱形状に形成したことにより、ケース本体１０の内部を電池ホルダ６Ｂの直径よりもわずかに大きく形成すればよい。このため、ビーコン装置１Ｂを小型化することができる。
【００５２】
また、無線通信モジュール３の向きを４５度ずつ変更することが可能であり、ビーコン信号の送信方向が最適となるように無線通信モジュール３の向きを調節しやすい。
【００５３】
なお、調節部５Ａの凸部及び支持部９の貫通孔を円形に形成すると共に、ケース本体１０にも円形の貫通孔を形成した上で、中心軸Ｃ１に沿ってケース本体１０の外部から調節部５Ａに接続されるハンドル又はダイヤルを取付けてもよい。これにより、ビーコン装置１Ｂが組立てられた状態であっても、作業員がハンドル又はダイヤルを回すだけで無線通信モジュール３の向きを調節することができる。そして、無線通信モジュール３の向きを調節し終われば、ロック機構や接着剤等によりハンドル又はダイヤルをケース本体１０に固定することにより、無線通信モジュール３の向きを固定可能となる。
【００５４】
［第４の実施の形態例］
次に、本発明の第４の実施の形態例に係るビーコン装置１Ｃについて、図６を参照して説明する。
図６は、ビーコン装置１Ｃの構成例を示す。図６Ａは、ビーコン装置１Ｃの構成例を示し、図６Ｂは、図６Ａ中のＢ−Ｂ線でビーコン装置１Ｃを切断した断面を示す。なお、図６Ｂでは、無線通信モジュール３及び電池４を不図示とする。
【００５５】
ビーコン装置１Ｃは、電池ホルダ６、無線通信モジュール３（図６では不図示）、ケース２Ａを備える。
ケース２Ａは、ケース本体１０Ａ、蓋体７を備える。ケース本体１０Ａは、上面が開口した箱状に形成されており、電池ホルダ６を収納可能である。蓋体７は支持部９を備え、電池ホルダ６は調節部５を備える。そして、ケース本体１０Ａは、蓋体７により閉塞される。
【００５６】
ケース本体１０Ａの長手方向の両端には、一対の固定部１２Ａと、一対の接続部１５が設けられている。
固定部１２Ａの底面は、ケース本体１０Ａの底面の面内方向に平行である。また、固定部１２Ａには、不図示のアンカーが挿入されるアンカー孔が形成される。
接続部１５は、ケース本体１０Ａの両端に固定部１２Ａを接続する。そして、接続部１５は、構造物からケース本体１０Ａを浮かせる。接続部１５には、山型にテーパが設けられており、取付け位置に取付けられたビーコン装置１Ｃに加わる風圧を低減することができる。
【００５７】
また、図６Ｂに示すように、固定部１２Ａの底面に対して、ケース本体１０Ａの底面が高さｈ１だけ高い。このため、取付け位置が平坦であれば、ケース本体１０Ａの底面は、固定部１２Ａが取付けられる取付け位置より高さｈ１だけ高い位置にある。
【００５８】
このように固定部１２Ａの底面とケース本体１０Ａの底面の高さを異ならせたのは、平坦でない取付け面であっても、固定部１２Ａを取付け面に確実に固定するためである。固定部１２Ａにアンカーが打ち込まれると、固定部１２Ａの底面だけが取付け位置に接触し、ケース本体１０Ａの底面は取付け位置に接触しない。これにより、ケース本体１０Ａの底面に加わる振動等が固定部１２Ａに伝わって、固定部１２Ａからアンカーが抜け落ちたり、無線通信モジュール３が故障したりする事態を防ぐことができる。また、接続部１５は弾性を有しており、取付け位置から固定部１２Ａに加わる振動を吸収するため、無線通信モジュール３に加わる振動の影響を抑えることができる。
【００５９】
以上説明した第４の実施の形態例に係るビーコン装置１Ｃによれば、平坦でない取付け面に固定部１２Ａを確実に固定することができる。このため、ビーコン装置１Ｃが取付け面から外れにくくなる。
【００６０】
［第５の実施の形態例］
次に、本発明の第５の実施の形態例に係るビーコン装置１Ｄについて、図７を参照して説明する。
図７は、ビーコン装置１Ｄの構成例を示す。図７Ａは、ビーコン装置１Ｄの構成例を示し、図７Ｂは、図７Ａ中のＣ−Ｃ線でビーコン装置１Ｄを切断した断面を示す。なお、図７Ｂでは、無線通信モジュール３及び電池４を不図示とする。
【００６１】
ビーコン装置１Ｄは、電池ホルダ６、無線通信モジュール３（図７では不図示）、ケース２Ｂを備える。
ケース２Ｂは、ケース本体１０Ｂ、蓋体７を備える。ケース本体１０Ｂは、上面が開口した箱状に形成されており、電池ホルダ６を収納可能である。蓋体７は支持部９を備え、電池ホルダ６は調節部５を備える。そして、ケース本体１０Ｂは、蓋体７により閉塞される。
【００６２】
ケース本体１０Ｂの長手方向の両端には、一対の固定部１２Ａと、一対の接続部１５が設けられている。
固定部１２Ａの底面は、ケース本体１０Ｂの底面の面内方向に平行である。また、固定部１２Ａには、不図示のアンカーが挿入されるアンカー孔が形成される。
接続部１５は、ケース本体１０Ｂの両端に固定部１２Ａを接続する。そして、接続部１５は、構造物からケース本体１０Ｂを浮かせる。図６に示したビーコン装置１Ｃでは、接続部１５がケース本体１０Ａの長手方向の両端の側面と一体に形成されていたのに対して、ビーコン装置１Ｄでは、接続部１５は、ケース本体１０Ｂの側面とは独立しており、ケース本体１０Ｂの底面と接続されている。これにより、接続部１５の弾性が増大し、取付け位置から固定部１２Ａに加わる振動をより吸収しやすくなるため、無線通信モジュール３に加わる振動の影響をさらに抑えることができる。
【００６３】
以上説明した第５の実施の形態例に係るビーコン装置１Ｄによれば、平坦でない取付け面に固定部１２Ａをより確実に固定することができる。
【００６４】
［第６の実施の形態例］
次に、本発明の第６の実施の形態例に係るビーコン装置１Ｅについて、図８を参照して説明する。
図８は、ビーコン装置１Ｅの構成例を示す。
【００６５】
ビーコン装置１Ｅは、電池ホルダ６、無線通信モジュール３、ケース２Ｃを備える。
ケース２Ｃは、ケース本体１０Ｃと、平板状に形成された底面部１６とを備える。
ケース本体１０Ｃは、下面が開口した箱状に形成されており、電池ホルダ６を収納可能である。
底面部１６は、ケース本体１０Ｃよりも長手方向に大きく形成されており、両端に固定部１２を有している。そして、ケース本体１０Ｃの開口の縁が、底面部１６の上面に固定される。ケース本体１０Ｃは、不図示のツメ部等によるロック機構により、底面部１６から着脱可能である。
【００６６】
以上説明した第６の実施の形態例に係るビーコン装置１Ｅによれば、予め取付け位置に取付けられた底面部１６に、ケース本体１０Ｃを取付けやすい。また、無線通信モジュール３の向きを特定の方向に変更可能である。
【００６７】
［変形例］
なお、ケース本体及び蓋体を透明又は半透明の素材で形成してもよい。これにより、作業員がビーコン装置を外部から視認するだけで、無線通信モジュールの向きを確認できる。また、無線通信モジュールにＬＥＤ（Light Emitting Diode）等の発光部を設けてもよい。発光部が発した光がケース本体又は蓋体を透過する位置により、作業員がビーコン装置を分解しなくても無線通信モジュールの向きや稼働状態を確認できる。
【００６８】
また、ビーコン装置の重量に合わせて、固定部の数又は位置を変更可能である。
また、蓋体の一部に他の部分よりも薄い薄肉部を設けて、この部分を安全弁として用いてもよい。この薄肉部は、例えば、電池の液漏れ等により発生したガスにより、ケース内でガス圧が高まった際に破断してガスを外部に逃がす。これにより、所定の取付け位置に既に取付けられたケース本体に影響を与えることなく、蓋体及び電池ホルダを交換することができる。
【００６９】
また、支持部を貫通孔とせず、調節部として形成された凸部が嵌め込まれる凹部として設けてもよい。また、調節部を凹部に形成し、支持部を凸部に形成してもよい。
【００７０】
なお、本発明は上述した実施の形態例に限られるものではなく、特許請求の範囲に記載した本発明の要旨を逸脱しない限りその他種々の応用例、変形例を取り得ることは勿論である。
例えば、上述した実施の形態例は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７１】
１…ビーコン装置、２…ケース、３…無線通信モジュール、４…電池、５…調節部、６…電池ホルダ、７…蓋体、８…平面部、９…支持部、１０…ケース本体、１１…リブ、１２…固定部
【図１】
2016012836.tif 000003
【図２】
2016012836.tif 000004
【図３】
2016012836.tif 000005
【図４】
2016012836.tif 000006
【図５】
2016012836.tif 000007
【図６】
2016012836.tif 000008
【図７】
2016012836.tif 000009
【図８】
2016012836.tif 000010